(57)【要約】【課題】主に各種電子機器の操作に使用される入力装置に関し、容易で多様な操作の可能なものを提供することを目的とする。【解決手段】位置検出手段としてのタッチパネル２８の側面または背面に、回転操作手段３６または押圧操作手段４６の少なくとも一つを配置すると共に、これらの操作に応じて、制御手段４７が所定の駆動信号を出力することによって、表示素子７に表示されたメニューの選択等を行う際、回転操作手段３６や押圧操作手段４６を操作するだけで、カーソルを移動して所望のメニューの選択や確定操作等が行えるため、誤操作も生じづらく、容易で多様な操作の可能な入力装置を得ることができる。【選択図】図１
2011237847.tif 000002
【特許請求の範囲】
【請求項１】
略矩形状または略帯状の複数の導電層が形成された位置検出手段と、この位置検出手段に接続された制御手段からなり、上記位置検出手段の側面または背面に、回転操作手段または押圧操作手段の少なくとも一つを配置すると共に、上記位置検出手段及び上記回転操作手段、上記押圧操作手段の操作に応じて、上記制御手段が所定の駆動信号を出力する入力装置。
【発明の詳細な説明】
【技術分野】
【０００１】
本発明は、主に各種電子機器の操作に用いられる入力装置に関するものである。
【背景技術】
【０００２】
近年、携帯電話や音楽プレーヤ等の各種電子機器の高機能化や小型化が進むに伴い、これらの操作に用いられる入力装置にも、多様な操作を行えるものが求められている。
【０００３】
このような従来の入力装置について、図８及び図９を用いて説明する。
【０００４】
なお、これらの図面は構成を判り易くするために、部分的に寸法を拡大して表している。
【０００５】
図８は従来の入力装置の断面図、図９は同分解斜視図であり、同図において、１はフィルム状で光透過性の上基板、２はガラス等の光透過性の下基板で、上基板１の下面には略矩形状で酸化インジウム錫等の光透過性の上導電層３が、下基板２の上面には同じく下導電層４が各々形成されている。
【０００６】
そして、下導電層４上面には絶縁樹脂によって、複数のドットスペーサ（図示せず）が所定間隔で形成されると共に、上導電層３の両端には一対の上電極（図示せず）が、下導電層４の両端には、上電極とは直交方向の一対の下電極（図示せず）が各々形成されている。
【０００７】
また、５は上基板１と下基板２間の外周内縁に形成された略額縁状のスペーサで、このスペーサ５の上下面または片面に塗布形成された接着剤（図示せず）によって、上基板１と下基板２の外周が貼り合わされ、上導電層３と下導電層４が所定の間隙を空けて対向するようにして、位置検出手段としての抵抗膜式のタッチパネル６が構成されている。
【０００８】
さらに、７は液晶表示素子等の表示素子、８はゴム等のダンパーシート、９は上下面に複数の配線パターン（図示せず）が形成された配線基板で、配線基板９上面にダンパーシート８を介して表示素子７とタッチパネル６が順次載置されている。
【０００９】
そして、配線基板９上面にはマイコン等が実装されて制御手段１０が形成されると共に、タッチパネル６の上下電極や表示素子７がコネクタ１１や、複数の配線パターンが形成されたフィルム状のフレキ基板１２等によって、制御手段１０に電気的に接続されて、入力装置が構成されている。
【００１０】
また、１３は略箱型で絶縁樹脂製の上筐体、１４は同じく下筐体で、上筐体１３上面にはフィルム状のパネルシート１５が貼付されると共に、この上筐体１３と下筐体１４内にタッチパネル６や表示素子７、他の電子部品や電池（図示せず）等が接続された配線基板９等が収納されて、電子機器が形成される。
【００１１】
以上の構成において、タッチパネル６背面の表示素子７に、例えば複数のアイコン等のメニュー（図示せず）が表示された状態で、所望のアイコン上の上基板１上面を指やペン等で押圧操作すると、上基板１が撓み、押圧された箇所の上導電層３が下導電層４に接触する。
【００１２】
そして、制御手段１０からタッチパネル６の上下電極へ順次電圧が印加され、これらの電極間の電圧比によって、押圧された箇所を制御手段１０が検出し、所定のアイコン等が選択されて、表示素子７には例えば氏名や曲名等の複数のメニューやカーソル（図示せず）等が表示される。
【００１３】
さらに、この状態でタッチパネル６の上基板１上面を指等で押圧したまま、これを上あるいは下方向へなぞるように摺動移動すると、この操作を制御手段１０が検出して、例えばカーソルが上あるいは下方向へ移動し、スクロール操作されて所望のメニューの選択が行われる。
【００１４】
つまり、タッチパネル６背面の表示素子７を見ながら、上基板１上面を押圧操作あるいは摺動操作することによって、アイコン等の選択や、カーソル等を移動させてメニューの選択等を行えるように構成されているものであった。
【００１５】
なお、この出願の発明に関連する先行技術文献情報としては、例えば、特許文献１が知られている。
【先行技術文献】
【特許文献】
【００１６】
【特許文献１】特開２００８−２６９５８４号公報
【発明の概要】
【発明が解決しようとする課題】
【００１７】
しかしながら、上記従来の入力装置においては、表示素子７に複数のメニューが表示された状態で、カーソルを移動して所望のメニューの選択等を行う際、指等で上基板１上面を何度も上下方向へ摺動操作する必要があるため、特にメニュー等の数が多い場合には、操作が煩雑で手間がかかり、誤操作も生じ易くなってしまうという課題があった。
【００１８】
本発明は、このような従来の課題を解決するものであり、容易で多様な操作の可能な入力装置を提供することを目的とする。
【課題を解決するための手段】
【００１９】
上記目的を達成するために本発明は、略矩形状または略帯状の複数の導電層が形成された位置検出手段の側面または背面に、回転操作手段または押圧操作手段の少なくとも一つを配置すると共に、位置検出手段及び回転操作手段、押圧操作手段の操作に応じて、制御手段が所定の駆動信号を出力するようにして入力装置を構成したものであり、表示素子に表示されたメニューの選択等を行う際、位置検出手段側面または背面の回転操作手段や押圧操作手段を操作するだけで、カーソルを移動して所望のメニューの選択や確定操作等が行えるため、誤操作も生じづらく、容易で多様な操作の可能な入力装置を得ることができるという作用を有するものである。
【発明の効果】
【００２０】
以上のように本発明によれば、容易で多様な操作の可能な入力装置を実現することができるという有利な効果が得られる。
【図面の簡単な説明】
【００２１】
【図１】本発明の一実施の形態による入力装置の断面図
【図２】同分解斜視図
【図３】同タッチパネルの分解斜視図
【図４】同分解斜視図
【図５】同部分側面図
【図６】同平面図
【図７】同部分分解斜視図
【図８】従来の入力装置の断面図
【図９】同分解斜視図
【発明を実施するための形態】
【００２２】
以下、本発明の実施の形態について、図１〜図７を用いて説明する。
【００２３】
なお、これらの図面は構成を判り易くするために、部分的に寸法を拡大して表している。
【００２４】
また、背景技術の項で説明した構成と同一構成の部分には同一符号を付して、詳細な説明を簡略化する。
【００２５】
（実施の形態）
図１は本発明の一実施の形態による入力装置の断面図、図２は同分解斜視図、図３は同タッチパネルの分解斜視図であり、同図において、２１はポリエチレンテレフタレートやポリエーテルサルホン、ポリカーボネート等のフィルム状で光透過性の上基板で、上面には酸化インジウム錫や酸化錫等の光透過性で略帯状の複数の上導電層２２が、スパッタ法等によって左右方向に配列形成されている。
【００２６】
また、２３は同じくフィルム状で光透過性の下基板で、上面には酸化インジウム錫や酸化錫等の光透過性で略帯状の複数の下導電層２４が、上導電層２２とは直交方向の前後方向に配列形成されている。
【００２７】
そして、この複数の上導電層２２と下導電層２４は、複数の方形部が帯状に連結されて形成されると共に、これらの間には、略方形の複数の空隙部が設けられ上基板２１と下基板２３が積重された状態では、各々の方形部が各々の空隙部に上下方向に交互に重なるように形成されている。
【００２８】
さらに、複数の上導電層２２の左または右端には銀やカーボン、銅箔等の複数の上電極２５が、下導電層２４前端には同じく複数の下電極２６が設けられ、これらが上基板２１と下基板２３前端に延出形成されている。
【００２９】
そして、２７はポリエチレンテレフタレート等のフィルム状で光透過性のカバー基板で、下基板２３上面に上基板２１とカバー基板２７が重ねられると共に、これらが各々アクリルやゴム等の接着剤（図示せず）等によって貼り合わされ、複数の上導電層２２と下導電層２４が所定の間隙を空けて対向して、位置検出手段としての静電容量式のタッチパネル２８が構成されている。
【００３０】
また、３０は略円柱状または略球状で直径２〜３ｍｍ前後の操作体で、図４の分解斜視図や図５の部分側面図に示すように、磁性の異なるＮ極とＳ極が回転方向に所定の角度間隔で、例えば６０度間隔で隣接して形成されたフェライトやＮｄ−Ｆｅ−Ｂ合金等の磁石の表面に、絶縁樹脂が被覆されて形成されると共に、中心には円柱状に突出した一対の回転軸３１が設けられている。
【００３１】
さらに、３２はＡＢＳ等の絶縁樹脂製の上ケース、３３はポリアセタール等の絶縁樹脂製の下ケースで、下ケース３３には複数の開口部３３Ａと、これに連結された半円柱状の一対の保持部３３Ｂが形成されると共に、上ケース３２には開口部３３Ａよりやや小さな複数の開口部３２Ａが設けられている。
【００３２】
そして、複数の操作体３０が下ケース３３の保持部３３Ｂに回転軸３１が挿入されて、開口部３３Ａ内に同方向に各々回転可能に装着されると共に、この複数の操作体３０の上部が上ケース３２上面から突出している。
【００３３】
なお、これら複数の開口部３２Ａや３３Ａ、複数の操作体３０の間隔は、一本の指で二つの操作体３０に同時に触れることが可能なように、各々３〜５ｍｍ前後の間隔で、指の幅以下の４〜１０ｍｍ前後の寸法内に形成されている。
【００３４】
また、３４は紙フェノールやガラス入りエポキシ等の配線基板で、上下面には銅箔等によって複数の配線パターン（図示せず）が形成されると共に、操作体３０下方の配線基板３４上面には、垂直方向の磁気を検出するホール素子や、水平方向の磁気を検出するＧＭＲ素子等の、回転検出手段としての複数の磁気検出素子３５が、操作体３０に対向配置するように実装装着されて、回転操作手段３６が構成されている。
【００３５】
なお、この磁気検出素子３５は、図５に示すように、垂直方向の磁気を検出する磁気検出素子３５Ａと、これとは直交方向の水平方向の磁気を検出する磁気検出素子３５Ｂが、一対となって形成されている。
【００３６】
そして、４０はポリエチレンテレフタレートやポリカーボネート、ポリイミド等の可撓性を有するフィルム状のベースシートで、図１や図４に示すように、この下面には合成樹脂内にカーボン粉等を分散した低抵抗体層と、下面が細かな凹凸状の高抵抗体層が、重ねて印刷形成された感圧導電層４１が設けられている。
【００３７】
また、４２はベースシート４０と同様の可撓性を有するフィルム状のカバーシート、４３は略ドーム状で銅合金や鋼等の導電金属薄板製の可動接点で、カバーシート４２下面に可動接点４３が、アクリルやゴム等の接着剤（図示せず）によって貼付されている。
【００３８】
さらに、このカバーシート４２がベースシート４０上面に重ねて貼付され、感圧導電層４１上方のベースシート４０上面に、可動接点４３が載置されると共に、可動接点４３中央上方の下ケース３３下面には、突起部３３Ｃが形成されている。
【００３９】
また、配線基板３４上面にはカーボンや銀、銅箔等によって、略円形状と略リング状の固定接点４４が設けられると共に、この上面に感圧導電層４１が固定接点４４と所定の間隙を空けて対向するように、スペーサ４５によって貼付されて、押圧操作手段４６が構成されている。
【００４０】
そして、７は液晶表示素子等の表示素子、８はゴム等のダンパーシート、９は上下面に複数の配線パターン（図示せず）が形成された配線基板で、図１や図２に示すように、配線基板９上面にダンパーシート８を介して表示素子７とタッチパネル２８が順次載置されると共に、回転操作手段３６と押圧操作手段４６がタッチパネル２８の左側面に配置されている。
【００４１】
さらに、配線基板９上面にはマイコン等が実装されて制御手段４７が形成されると共に、表示素子７やタッチパネル２８の上電極２５と下電極２６、回転操作手段３６の磁気検出素子３５、押圧操作手段４６の固定接点４４が複数のコネクタ１１や、複数の配線パターンが形成されたフィルム状のフレキ基板１２等によって、制御手段４７に電気的に接続されて、入力装置が構成されている。
【００４２】
また、５０は略箱型でポリスチレンやＡＢＳ等の絶縁樹脂製の上筐体、５１は同じく下筐体で、上筐体５０上面の開口部にはフィルム状のパネルシート１５が貼付されると共に、この上筐体５０と下筐体５１内に表示素子７やタッチパネル２８、回転操作手段３６や押圧操作手段４６、他の電子部品や電池（図示せず）等が接続された配線基板９が収納されて、電子機器が形成される。
【００４３】
以上の構成において、図６（ａ）の平面図に示すように、例えばタッチパネル２８背面の表示素子７に複数のアイコン５５等のメニューが表示された状態で、所望のアイコン５５上のカバー基板２７上面に指を近接させると、指が近接した箇所の上導電層２２と下導電層２４の間の静電容量が変化する。
【００４４】
そして、制御手段４７からタッチパネル２８の上電極２５と下電極２６に電圧が印加され、これらの電極の電圧によって、指が近接した箇所を制御手段４７が検出して所定の駆動信号が出力され、所定のアイコン５５が選択される。
【００４５】
また、この状態で二つの操作体３０を押圧操作すると、この下方の押圧操作手段４６の電気的接離が行われ、これを制御手段４７が検出して所定の駆動信号が出力され、図６（ｂ）に示すように、例えば氏名や曲名等の複数のメニュー５６やカーソル５７等が表示素子７に表示される。
【００４６】
さらに、この状態で上筐体５０や下筐体５１側面から、上下方向へ回転可能に突出した複数の操作体３０を、例えば下方向へ回転操作すると、上方の操作体３０が回転軸３１を中心として先ず回転し、次に下方の操作体３０が回転する。
【００４７】
そして、図５に示すように、操作体３０下方の磁気検出素子３５が、Ｎ極とＳ極が所定の角度間隔で隣接形成され、回転によってＮ極とＳ極が交互に変化する磁石の磁気を検出するが、この時、垂直方向の磁気を検出する磁気検出素子３５Ａは、磁石のＮ極とＳ極の変化した数、つまり回転角度を検出する。
【００４８】
さらに、水平方向の磁気を検出する磁気検出素子３５Ｂは、磁石の磁気の変化がＮ極からＳ極なのか、あるいはＳ極からＮ極なのかを、つまり回転方向を検出し、これらの回転角度と回転方向が所定のパルス状の電圧信号として、磁気検出素子３５から制御手段４７に出力される。
【００４９】
なお、この時、上方の操作体３０に対向した磁気検出素子３５と、下方の操作体３０に対向した磁気検出素子３５の両方から電圧信号が出力されるが、先ず上方の操作体３０が回転し、次に下方の操作体３０が回転操作されるため、これらは所定時間ずれた位相差のあるものとなって、制御手段４７に出力される。
【００５０】
そして、制御手段４７がこれらの電圧信号から指の移動方向と移動量を検出して、所定の駆動信号を出力し、メニュー５６上のカーソル５７が、例えば下方向へ操作体３０の回転角度分だけ移動し、メニュー５６のスクロール操作が行われる。
【００５１】
あるいは、二つの操作体３０に同時に指を当てて押圧操作すると、下ケース３３が一端を支点として揺動して、突起部３３Ｃに押圧されてカバーシート４２や可動接点４３が下方へ移動し、ベースシート４０が下方へ撓んで、この下面の感圧導電層４１が固定接点４４に接触することによって、固定接点４４が感圧導電層４１を介して電気的に接続される。
【００５２】
そして、制御手段４７がこの固定接点４４の電気的接離を検出して、例えばカーソル５７を速く移動させるための駆動信号を出力し、カーソル５７が例えば通常の２倍あるいは３倍の速さで下方向へ移動して、メニュー５６のスクロール操作が行われる。
【００５３】
また、このように二つの操作体３０を回転操作、あるいは押圧操作してスクロール操作を行い、カーソル５７が所望のメニュー５６上に停止した状態で、カバー基板２７上面に指を近接させると、この箇所の上導電層２２と下導電層２４の間の静電容量が変化し、これを制御手段４７が検出して所定の駆動信号が出力され、所望のメニュー５６の選択が行われる。
【００５４】
さらに、このようにカーソル５７が所望のメニュー５６上に位置した状態で、操作体３０により強い押圧力を加えると、可動接点４３がクリック感を伴って下方へ弾性反転して、感圧導電層４１の固定接点４４に対する接触面積が増え、固定接点４４の抵抗値が小さくなるため、制御手段４７への出力電圧が変化する。
【００５５】
そして、この押圧操作手段４６の固定接点４４の抵抗値の変化を、制御手段４７が検出して所定の駆動信号を出力し、例えば、メニュー５６の確定や次メニューの表示等が行われる。
【００５６】
なお、操作体３０への押圧力を解除すると、弾性復帰力によって可動接点４３が上方へ弾性反転すると共に、ベースシート４０も弾性復帰力によって元の状態に戻るため、感圧導電層４１が固定接点４４から離れて、これらが電気的に切断された状態に復帰する。
【００５７】
つまり、タッチパネル２８背面の表示素子７の表示を見ながら、カバー基板２７上面に指を近接させることによって、所望のアイコン５５の選択が行えると共に、このタッチパネル２８側面に配置された、回転操作手段３６の複数の操作体３０を回転操作することによって、カーソル５７を上または下方向に所定の速さで移動してスクロール操作し、所望のメニュー５６の選択が行えるようになっている。
【００５８】
さらに、指で操作体３０を押圧操作し、押圧操作手段４６の感圧導電層４１を固定接点４４に接触させることによって、カーソル５７を速く移動させてメニュー５６の選択を素早く短い時間で行えると共に、操作体３０をより強く押圧操作することで、メニュー５６の確定や次メニューの表示等を行うことも可能なようになっている。
【００５９】
すなわち、タッチパネル２８の左側面に回転操作手段３６と押圧操作手段４６を配置すると共に、これらの静電容量の変化や電気的接離、抵抗値の変化等を制御手段４７が検出し、タッチパネル２８や操作体３０の各々の操作に応じた駆動信号を出力することで、誤操作がなく、多様な操作が容易に行えるように構成されている。
【００６０】
なお、以上の説明では、タッチパネル２８の左側面に複数の操作体３０を配置し、例えば左手で機器を保持して親指で操作体３０を回転操作、あるいは押圧操作する構成について説明したが、機器の背面に操作体３０を突出させ、人差し指や中指でこれを回転または押圧操作する構成としても、本発明の実施は可能である。
【００６１】
あるいは、左側面に加え複数の側面、例えば右側面にも操作体３０や回転操作手段３６、押圧操作手段４６等を設け、これらの回転操作や押圧操作によって、上記のようなアイコン５５やメニュー５６の選択等とは異なる操作、例えば表示素子７の表示の拡大や縮小等を行う構成としてもよい。
【００６２】
また、以上の説明では、垂直方向の磁気を検出する磁気検出素子３５Ａと、水平方向の磁気を検出する磁気検出素子３５Ｂが一対となった磁気検出素子３５を、操作体３０の下方に配置した構成について説明したが、同じ方向の磁気を検出する磁気素子が、所定の間隔で並列に配置された磁気検出素子を用い、これらの磁気素子の位置の違いによる時間のずれから、操作体３０の回転方向と回転角度の検出を行う構成としても、本発明の実施は可能である。
【００６３】
さらに、操作体３０にＮ極とＳ極が所定の角度間隔で、例えば６０度間隔で三つずつ隣接して形成された磁石を用いた構成について説明したが、やや検出精度は劣るが、Ｎ極とＳ極が１８０度間隔で一つずつ形成されたものや、あるいは４５度間隔で四つずつ形成されたものを用いて、検出精度をより高めた構成としてもよい。
【００６４】
そして、上述したように、複数の操作体３０を各々３〜５ｍｍ前後の間隔で、上ケース３２や下ケース３３に装着することによって、二つの磁石が同時に回転して、位相差のない電圧信号が出力されることを防ぐと共に、一方の磁石のみが回転して、出力される電圧信号が一つになってしまうことを防ぎ、確実な回転方向と回転角度の検出を行えるようになっている。
【００６５】
また、以上の説明では、下基板２３上に上基板２１が重ねられ、複数の上導電層２２と下導電層２４が上下方向に所定の間隙を空けて対向した、静電容量式のタッチパネル２８を用いた構成について説明したが、図７（ａ）の部分分解斜視図に示すように、基板６０上面に略帯状の複数の導電層６１Ａと、略矩形状の複数の導電層６１Ｂを所定の間隙で形成し、導電層６１Ｂを導電層６１Ａとは直交する方向に接続部６１Ｃで接続した構成としても、本発明の実施は可能である。
【００６６】
あるいは、図７（ｂ）に示すように、基板６０上面に略矩形状の複数の導電層６１Ｄを所定の間隙で形成し、これらに複数の電極６２を接続して、静電容量式のタッチパネルを形成した構成としてもよい。
【００６７】
なお、このような静電容量式のタッチパネル２８等を用い、カバー基板２７上面には触れず指を近接して操作を行うことで、指紋や油分によるカバー基板２７上面の汚れを防ぐことが可能となるが、操作頻度が少ない場合には、指をカバー基板２７上面に直接触れて操作を行う構成や、背景技術の項で説明した略矩形状の導電層が所定の間隙で対向する、抵抗膜式のタッチパネルを用いて入力装置を形成した構成としてもよい。
【００６８】
さらに、以上の説明では、タッチパネル２８側面や背面に回転操作手段３６と押圧操作手段４６を配置し、これらの近接操作や回転操作、押圧操作によって、タッチパネル２８背面の表示素子７に表示されたアイコン５５の選択や、カーソル５７の移動、メニュー５６の選択や確定等を行う構成について説明したが、これ以外にも様々な操作を行うことが可能である。
【００６９】
つまり、例えば表示素子７に地図や写真等が表示された状態で、カバー基板２７上面に指を近接させて、地図や写真の所望の箇所を選択した後、操作体３０を上または下方向へ回転操作して、選択した箇所の地図や写真を拡大または縮小するように入力装置を形成してもよい。
【００７０】
あるいは、上記のようにタッチパネル２８に指を近接して所望の箇所を選択した後、操作体３０を軽く押圧操作しながら、カバー基板２７上面に指を近接し、これを上あるいは下方向へ移動して、選択した箇所の地図や写真を拡大または縮小するように形成することもできる。
【００７１】
さらに、同様にタッチパネル２８によって所望の箇所を選択した後、カバー基板２７上面に近接させた指を例えば斜め方向に移動すると共に、操作体３０を回転操作して、地図や写真を拡大または縮小する構成としてもよい。
【００７２】
また、以上の説明では、タッチパネル２８側面や背面に、回転操作手段３６と押圧操作手段４６の二つの操作手段を配置し、操作体３０の回転操作や押圧操作によってメニュー５６を選択した後、操作体３０をより強く押圧操作してメニュー５６の確定を行う構成について説明したが、押圧操作手段４６に代えて、回転操作手段３６下方にプッシュスイッチ等を配置し、回転操作手段３６の回転操作によってメニュー５６の選択を行った後、操作体３０を押圧操作してプッシュスイッチの電気的接離を行い、これによってメニュー５６の確定を行う構成としても、本発明の実施は可能である。
【００７３】
あるいは、タッチパネル２８側面や背面に押圧操作手段４６のみを配置すると共に、操作体３０に代えて押釦等をこの上方に設け、この押釦を軽く押圧操作してメニュー５６を選択した後、押釦をより強く押圧操作してメニュー５６の確定を行う構成としてもよい。
【００７４】
このように本実施の形態によれば、位置検出手段としてのタッチパネル２８の側面または背面に、回転操作手段３６または押圧操作手段４６の少なくとも一つを配置すると共に、これらの操作に応じて、制御手段４７が所定の駆動信号を出力することによって、表示素子７に表示されたメニューの選択等を行う際、回転操作手段３６や押圧操作手段４６を操作するだけで、カーソルを移動して所望のメニューの選択や確定操作等が行えるため、誤操作も生じづらく、容易で多様な操作の可能な入力装置を得ることができるものである。
【産業上の利用可能性】
【００７５】
本発明による入力装置は、容易で多様な操作の可能なものを実現することができるという有利な効果を有し、主に各種電子機器の操作用として有用である。
【符号の説明】
【００７６】
７  表示素子
８  ダンパーシート
９  配線基板
１１  コネクタ
１２  フレキ基板
１５  パネルシート
２１  上基板
２２  上導電層
２３  下基板
２４  下導電層
２５  上電極
２６  下電極
２７  カバー基板
２８  タッチパネル
３０  操作体
３１  回転軸
３２  上ケース
３２Ａ  開口部
３３  下ケース
３３Ａ  開口部
３３Ｂ  保持部
３３Ｃ  突起部
３４  配線基板
３５、３５Ａ、３５Ｂ  磁気検出素子
３６  回転操作手段
４０  ベースシート
４１  感圧導電層
４２  カバーシート
４３  可動接点
４４  固定接点
４５  スペーサ
４６  押圧操作手段
４７  制御手段
５０  上筐体
５１  下筐体
５５  アイコン
５６  メニュー
５７  カーソル
６０  基板
６１Ａ、６１Ｂ、６１Ｄ  導電層
６１Ｃ  接続部
６２  電極
【図１】
2011237847.tif 000003
【図２】
2011237847.tif 000004
【図３】
2011237847.tif 000005
【図４】
2011237847.tif 000006
【図５】
2011237847.tif 000007
【図６】
2011237847.tif 000008
【図７】
2011237847.tif 000009
【図８】
2011237847.tif 000010
【図９】
2011237847.tif 000011